(57)【特許請求の範囲】
【請求項１】
複数の心線を有するケーブルの端部に取り付けられて、相手方コネクタと相互に接続されるコネクタであって、
少なくとも相手方コネクタとの接続部が上下方向に２つに分割可能に構成されるとともに、これら各分割部の他方の分割部との対向面に、前記複数の心線を案内するための複数の案内溝がそれぞれ設けられる絶縁体からなるコネクタ本体と、
一方の前記分割部の前記各案内溝に対応する部分に設けられ、当該分割部を貫通して一端が前記各案内溝内に突出し、他端が当該分割部の外側表面に露出し、該露出部分に相手方コネクタのコネクタ本体が電気的に接続される導電体からなる複数の端子と、
前記２つの分割部を合体した状態にロックするロック機構とを備えてなり、
前記複数の端子は、前記コネクタ本体の一方の前記分割部に固定ピンによって着脱可能に取り付けられていることを特徴とするコネクタ。
【請求項２】
前記コネクタ本体は、前記接続部を含む全体が上下方向に２つに分割可能に構成されていることを特徴とする請求項１に記載のコネクタ。
【請求項３】
前記コネクタ本体の一方の前記分割部は、前記ケーブルの端部の被覆部分を案内する部分と前記ケーブルの端部の複数の心線を案内する部分とに分割され、両部分がヒンジを介して回動自在に連結されていることを特徴とする請求項１又は２に記載のコネクタ。
【請求項４】
前記コネクタ本体の他方の前記分割部の各案内溝は、一方の前記分割部の各案内溝よりも深く形成され、該深く形成された各案内溝内に前記ケーブルの各心線が保持可能に構成されていることを特徴とする請求項１〜３の何れか１項に記載のコネクタ。
【請求項５】
前記コネクタ本体には、前記ケーブルの端部の被覆部分を押えるためのケーブル押えが着脱自在に取り付けられていることを特徴とする請求項１〜４の何れか１項に記載のコネクタ。
【請求項６】
前記ロック機構は、前記コネクタ本体の一方の前記分割部に設けられる嵌合部と、前記コネクタ本体の他方の前記分割部に設けられるとともに、前記嵌合部と相互に嵌合可能な被嵌合部とからなることを特徴とする請求項１〜５の何れか１項に記載のコネクタ。
【発明の詳細な説明】
【技術分野】
【０００１】
本発明は、コネクタに関し、特に、ケーブル同士の接続、ケーブルと電気機器との接続等に使用されるコネクタに関する。
【背景技術】
【０００２】
ケーブル同士の接続、ケーブルと電子機器との接続等に使用されるコネクタには種々のタイプのものがあり、例えば、電子機器側に取り付けられるジャックと、ケーブル側に取り付けられるとともに、ジャックと相互に着脱自在なプラグとを備えたコネクタが知られている。
【０００３】
上記のようなジャックとプラグとからなるコネクタを用いてケーブルを電子機器に接続する場合、電子機器のレイアウトに応じてケーブルの長さを調整し、ケーブルの端部に専用の圧着工具を用いてジャック又はプラグを取り付けている。
【０００４】
例えば、ケーブルがＬＡＮケーブルの場合には、まず、電子機器のレイアウトに応じてＬＡＮケーブルの長さを調整し、例えば、ケーブルストリッパーを用いてＬＡＮケーブルの端部の被覆を２０ｍｍ程度剥き取り、各心線の端部を露出させて平行に揃え、平行部分が１３ｍｍ程度となるように各心線の先端を切り揃える。
【０００５】
次に、各心線を平行に揃えたままの状態でジャック又はプラグの内部に挿入し、各心線をジャック又はプラグの各端子に対応させて各端子の下方に配置し、この状態でジャック又はプラグを圧着工具に装着し、圧着工具を操作してジャック又はプラグの端子の部分をかしめ付け、各端子の先端を各心線の被覆を貫通させて導線に接触させ、各端子と各心線とを電気的に接続している（例えば、特許文献１参照。）。
【特許文献１】実開平５−１１３２９号公報
【発明の開示】
【発明が解決しようとする課題】
【０００６】
ところで、上記のような構成のコネクタにあっては、電子機器等のレイアウトに応じてケーブルの長さを調整する場合、専用の圧着工具を用いてケーブルにジャック又はプラグをかしめ付けて取り付けなければならず、その作業に手間がかかる。また、ケーブルにジャック又はプラグを取り付けた後に、ジャック又はプラグをケーブルから取り外して再利用することができない。さらに、ケーブルの心線をジャック又はプラグの内部に挿入する場合に、心線の長さの調整に手間がかかる。
【０００７】
本発明は、上記のような従来の問題に鑑みなされたものであって、専用の圧着工具を用いることなくケーブルに容易に取り付けることができるとともに、ケーブルに取り付けた後に取り外して再利用することができ、さらに、ケーブルの心線の長さの調整が容易なコネクタを提供することを目的とする。
【課題を解決するための手段】
【０００８】
上記のような課題を解決するために、本発明は、以下のような手段を採用している。
すなわち、請求項１に係る発明は、複数の心線を有するケーブルの端部に取り付けられて、相手方コネクタと相互に接続されるコネクタであって、少なくとも相手方コネクタとの接続部が上下方向に２つに分割可能に構成されるとともに、これら各分割部の他方の分割部との対向面に、前記複数の心線を案内するための複数の案内溝がそれぞれ設けられる絶縁体からなるコネクタ本体と、一方の前記分割部の前記各案内溝に対応する部分に設けられ、当該分割部を貫通して一端が前記各案内溝内に突出し、他端が当該分割部の外側表面に露出し、該露出部分に相手方コネクタのコネクタ本体が電気的に接続される導電体からなる複数の端子と、前記２つの分割部を合体した状態にロックするロック機構とを備えてなり、前記複数の端子は、前記コネクタ本体の一方の前記分割部に固定ピンによって着脱可能に取り付けられていることを特徴とする。
【０００９】
本発明によるコネクタによれば、コネクタ本体を上下方向に２つに分割可能に構成するとともに、２つの分割部をロック機構により合体した状態にロックするように構成したので、コネクタ本体を２つに分割した状態で両分割部間にケーブルの端部を位置し、この状態で２つの分割部を合体させてロック機構によりロックすることにより、ケーブルの端部にコネクタ本体を取り付けることができ、コネクタ本体の２つの分割部間でケーブルの端部の被覆部分及び複数の心線を固定することができる。ロック機構によるロック状態を解除することにより、コネクタ本体を２つに分割することが可能となり、コネクタ本体をケーブルの端部から取り外すことが可能となる。
また、複数端子は、コネクタ本体に固定ピンによって着脱可能に取り付けられているので、コネクタ本体を廃棄処分する際に、コネクタ本体から各端子を取り外して、コネクタ本体と複数の端子とを分別処分することが可能となる。
【００１０】
請求項２に係る発明は、請求項１に記載のコネクタであって、前記コネクタ本体は、前記接続部を含む全体が上下方向に２つに分割可能に構成されていることを特徴とする。
【００１１】
本発明によるコネクタによれば、コネクタ本体を、接続部を含む全体を上下方向に２つに分割可能に構成するとともに、２つの分割部をロック機構により合体した状態にロックするように構成したので、コネクタ本体を、接続部を含む全体を２つに分割した状態で両分割部間にケーブルの端部を位置し、この状態で２つの分割部を合体させてロック機構によりロックすることにより、ケーブルの端部にコネクタ本体を取り付けることができ、コネクタ本体の２つの分割部間でケーブルの端部の被覆部分及び複数の心線を固定することができる。ロック機構によるロック状態を解除することにより、コネクタ本体を、接続部を含む全体を２つに分割することが可能となり、コネクタ本体をケーブルの端部から取り外すことが可能となる。
【００１２】
請求項３に係る発明は、請求項１又は２に記載のコネクタであって、前記コネクタ本体の一方の前記分割部は、前記ケーブルの端部の被覆部分を案内する部分と前記ケーブルの端部の複数の心線を案内する部分とに分割され、両部分がヒンジを介して回動自在に連結されていることを特徴とする。
【００１３】
本発明によるコネクタによれば、コネクタ本体の一方の分割部を、ケーブルの端部の被覆部分を案内する部分と複数の心線を案内する部分とに分割し、両部分をヒンジを介して回動自在に連結しているので、コネクタ本体の他方の分割部と一方の分割部のケーブルの端部の被覆部分を案内する部分とを最初に合体させ、その後に、他方の分割部と一方の分割部の心線を案内する部分とを合体させることが可能となる。
【００１４】
請求項４に係る発明は、請求項１から３の何れかに記載のコネクタであって、前記コネクタ本体の他方の前記分割部の各案内溝は、一方の前記分割部の各案内溝よりも深く形成され、該深く形成された各案内溝内に前記ケーブルの各心線が保持可能に構成されていることを特徴とする。
【００１５】
本発明によるコネクタによれば、コネクタ本体の他方の分割部の深く形成されている各案内溝内にケーブルの各心線を保持することが可能となるので、コネクタ本体一方の分割部と他方の分割部とを容易に合体させることが可能となる。
【００１６】
請求項５に係る発明は、請求項１から４の何れかに記載のコネクタであって、前記コネクタ本体には、前記ケーブルの端部の被覆部分を押えるためのケーブル押えが着脱自在に取り付けられていることを特徴とする。
【００１７】
本発明によるコネクタによれば、コネクタ本体にケーブル押えを取り付けることにより、ケーブルの被覆部分がケーブル押えによって押えられ、ケーブルとコネクタ本体とが一体化されることになる。
【００２０】
請求項６に係る発明は、請求項１〜５の何れか１項に記載のコネクタであって、前記ロック機構は、前記コネクタ本体の一方の前記分割部に設けられる嵌合部と、前記コネクタ本体の他方の前記分割部に設けられるとともに、前記嵌合部と相互に嵌合可能な被嵌合部とからなることを特徴とする。
【００２１】
本発明によるコネクタによれば、コネクタ本体の一方の分割部の嵌合部と他方の分割部の被嵌合部とを相互に嵌合させることにより、一方の分割部と他方の分割部とが合体した状態にロックされる。また、嵌合部と被嵌合部との嵌合状態を解除することにより、一方の分割部と他方の分割部とが分割可能な状態となる。
【発明の効果】
【００２２】
以上、説明したように、本発明によれば、コネクタ本体を上下方向に２つに分割可能に構成するとともに、ロック機構により合体した状態にロック可能、かつ、ロック状態を解除することにより分割可能に構成したので、コネクタ本体をケーブルの端部に取り付けたり、取り外したりすることが可能となる。従って、コネクタ本体を再利用することが可能となるので、経済的に有利なものを提供することができる。
また、複数の端子は、コネクタ本体に固定ピンによって着脱可能に取り付けられているので、コネクタ本体を廃棄処分する際に、コネクタ本体から各端子を取り外して、コネクタ本体と複数の端子とを分別処分することが可能となる。
また、コネクタ本体を２つに分割した状態で、両分割部間にケーブルの端部を位置し、両分割部を合体させてロック機構によりロックすることにより、両分割部間でケーブルの端部（被覆部及び心線）を固定し、端子を心線に電気的に接続することができるので、コネクタ本体のケーブルの端部への取り付けに専用の圧着工具が不要となり、コネクタ本体のケーブルの端部への取り付け作業が容易となる。
さらに、ケーブルの心線は、コネクタ本体の両分割部間に配置して、両分割部を合体させた後に、両分割部の端面から突出している余剰部分を切り落とせばよいので、ケーブルの心線の長さの調整が容易となる。
【発明を実施するための最良の形態】
【００２３】
以下、図面を参照しながら本発明の実施の形態について説明する。
図１〜図３には、本発明によるコネクタの第１の実施の形態が示されていて、図１はコネクタの全体を示す縦断面図、図２は図１のＡ−Ａに沿って見た断面図であって、コネクタ本体を分割した状態を示す説明図、図３は図１のＡ−Ａに沿って見た断面図であって、コネクタ本体を合体した状態を示す説明図である。
【００２４】
すなわち、本実施の形態のコネクタ１は、ケーブル同士の接続、ケーブルと電気機器との接続等に利用可能なコネクタであって、ケーブル２５（例えば、ＬＡＮケーブル）の端部に取り付けられる絶縁体からなるコネクタ本体２と、コネクタ本体２に着脱可能に取り付けられるとともに、一部がコネクタ本体２の表面に露出する導電体からなる複数の端子７と、コネクタ本体２に着脱可能に取り付けられる絶縁体からなるケーブル押え１０とを備え、このコネクタ本体２と相手方コネクタのコネクタ本体３０とが相互に着脱可能に構成され、コネクタ本体２の各端子７と相手方コネクタのコネクタ本体３０の端子とが電気的に相互に接続される。
【００２５】
なお、本実施の形態においては、本発明によるコネクタ１をプラグに適用した例について説明しているが、ジャックに適用しても良いのは勿論のことであり、その場合にも同様の作用効果を奏する。
【００２６】
コネクタ本体２は、合成樹脂等の絶縁体から形成されるものであって、図１に示すように、上下に２つに分割された第１分割部３と第２分割部１５とから構成され、両分割部３、１５を合体させることにより、両分割部３、１５間でケーブル２５の端部が固定される。なお、ケーブル２５は、その端部の被覆が除去されて心線２６が露出している。
【００２７】
第１分割部３は、略直方体状をなすものであって、上面側に図１中左右方向に延びる複数（ケーブル２５の心線２６の総数以上の数、本実施の形態では６つ）の断面円弧状の心線用案内溝４が並列に設けられ、各心線用案内溝４内にケーブル２５の各心線２６の下側の部分が案内される。
【００２８】
第１分割部３の各心線用案内溝４は、後述する第２分割部１５の各心線用案内溝１７よりも浅く形成され、第１分割部３と第２分割部１５とを合体した状態で、第１分割部３の各心線用案内溝４と第２分割部１５の各心線用案内溝１７とが合体して円形断面となり、この円形断面の心線用案内溝４と心線用案内溝１７との間で各心線２６が固定される。
【００２９】
第１分割部３の上面側の各心線用案内溝４の図１中右端部には、一端が各心線用案内溝４に接続し、他端が第１分割部３の端面に開口する所定の幅、深さの矩形状のケーブル用案内溝５が設けられ、このケーブル用案内溝５内にケーブル２５の端部の被覆部分２７の下側の部分が案内される。
【００３０】
第１分割部３の長手方向の図１中左端部の各心線用案内溝４に対応する部分には、各心線用案内溝４の底面と第１分割部３の下面との間を貫通する断面凸形状の端子用溝６が設けられ、この端子用溝６内に第１分割部３の下面側から端子７が挿着される。
【００３１】
端子７は、導電体から形成されるものであって、先端部が尖った形状、略Ｖ形状等（本実施の形態では尖った形状）に形成され、この先端部が各心線用案内４内に所定量突出している。この各心線用案内４内に突出する端子７の先端部が、各心線用案内溝４内に案内される各心線２６の被覆を貫通して導線に電気的に接続される。
【００３２】
端子７の中央部には、端子７を厚み方向に貫通するピン挿通用孔７ａが設けられるとともに、この端子７のピン挿通用孔７ａに対応する第１分割部３の部分には、第１分割部３を幅方向に貫通するピン挿通用孔３ａが設けられ、この第１分割部３のピン挿通用孔３ａ、及び各端子７のピン挿通用孔７ａ内に第１分割部３の側面側から絶縁体からなる丸棒状の固定ピン８を嵌合させることにより、各端子７が固定ピン８によって各端子用溝６内に固定される。また、固定ピン８を第１分割部３から抜くことにより、各端子７を第１分割部３から取り外すことが可能となる。
【００３３】
第１分割部３のケーブル用案内溝５に対応する部分には、ケーブル用案内溝５の底面と第１分割部３の下面との間を貫通する矩形状のケーブル押え用孔９が設けられ、このケーブル押え用孔９内に絶縁体からなるケーブル押え１０が着脱自在に取り付けられる。ケーブル押え用孔９の内面には凹凸部９ａが設けられ、この凹凸部９ａとケーブル押え１０の凹凸部１１ａとが相互に係合可能に構成されている。
【００３４】
ケーブル押え１０は、内外に弾性変形可能な一対の脚部１１を有するコ形状をなすものであって、両脚部１１を内方に弾性変形させた状態でケーブル押え用孔９内に嵌合させることにより、上端部がケーブル押え用孔９からケーブル用案内溝５内に所定量突出し、この突出している部分がケーブル２５の被覆部分２７に押し当てられることにより、第１分割部３と第２分割部１５との間にケーブル２５の被覆部分２７が固定される。また、上述のように、ケーブル押え１０の凹凸部１１ａとケーブル押え用孔９の凹凸部９ａとが係合することにより、ケーブル押え１０がケーブル押え用孔９から脱落するのが防止される。
なお、ケーブル押え用孔９及びケーブル押え１０は、第２分割部１５に設けてもよいし、第１分割部３と第２分割部１５の両方に設けても良い。
【００３５】
第１分割部３の下面は、図１中左端部側が右端部側よりも一段低い段部１２に形成され、この段部１２内に本実施の形態のコネクタ１のコネクタ本体２と相互に着脱可能な相手方コネクタのコネクタ本体３０が着脱可能に係合される。
【００３６】
図２及び図３に示すように、第１分割部３の下端部の両側面には、外方に張り出る係止部１３が一体に設けられ、第１分割部３と後述する第２分割部１５とを合体させた状態で、この係止部１３の上面側に第２分割部１５の両側部の下面が当接することにより、第１分割部３と第２分割部１５との間が所定の間隔に固定される。
【００３７】
第２分割部１５は、下面側に全長に亘る凹部１６が設けられる断面コ形状の部材であって、下面側の凹部１６内に第１分割部３の上面側を嵌合させて、第２分割部１５の両側部の下面側を第１分割部３の係止部１３の上面側に当接させることにより、第２分割部１５が第１分割部３と一体に合体される。
【００３８】
第２分割部１５の凹部１６の底面側には、第２分割部１５と第１分割部３とを合体させた状態で、第１分割部３の各心線用案内溝４に対向するように、各心線用案内溝４と同一長さ、同一幅の複数の断面円弧状の心線用案内溝１７が並列に設けられ、各心線用案内溝１７内にケーブル２５の端部の各心線２６の上側の部分が案内される。
【００３９】
第２分割部１５の凹部１６の底面側の各心線用案内溝１７の右側の部分には、第２分割部１５と第１分割部３とを合体させた状態で、第１分割部３のケーブル用案内溝５と対向するように、ケーブル用案内溝５と同一幅、深さの矩形状のケーブル用案内溝１８が設けられ、このケーブル用案内溝１８内にケーブル２５の端部の被覆部分２７の上側の部分が案内される。
【００４０】
ロック機構２０は、第１分割部３の両側面に一体に設けられる、両側面から外方に突出する三角形状の嵌合部２１と、第２分割部１５の両側部の嵌合部２１に対応する位置に設けられる、各側部を貫通する四角形状の被嵌合部２２とから構成され、第１分割部３の嵌合部２１と第２分割部１５の被嵌合部２２とを相互に嵌合させることにより、第１分割部３と第２分割部１５とが合体した状態にロックされる。また、第２分割部１５の両側部を外方に押し広げて、第１分割部３の嵌合部２１と第２分割部１５の被嵌合部２２との嵌合状態を解除することにより、第１分割部３と第２分割部１５とが分割可能な状態となる。
【００４１】
本実施の形態においては、第１分割部３の嵌合部２１を三角形状に形成し、第２分割部１５の被嵌合部２２を四角形状に形成しているが、これに限定することなく、第１分割部３と第２分割部１５とを合体した状態にロックし、かつロック状態を解除可能な形状であればよい。また、第１分割部３に被嵌合部を設け、第２分割部１５に嵌合部を設け、第１分割部３の被嵌合部と第２分割部１５の嵌合部とを相互に嵌合させるように構成してもよい。
【００４２】
次に、上記のように構成したコネクタ１をケーブル２５の端部に取り付ける手順、及び取り外す手順について説明する。
まず、電子機器のレイアウトに応じてケーブル２５の長さを調整し、ケーブルストリッパーを用いてケーブル２５の端部の被覆を例えば２０ｍｍ程度剥き取り、ケーブル２５の端部に複数の心線２６を露出させ、複数の心線２６平行に揃えて各心線２６の端部を切り揃える。
【００４３】
次に、図２に示すように、ケーブル２５の端部をコネクタ本体２の第２分割部１５の下面側に配置し、ケーブル２５の端部の被覆部分２７の上側の部分を第２分割部１５のケーブル用案内溝１８内に嵌合させ、各心線２６を第２分割部１５の各心線用案内溝１７内に嵌合させる。この場合、第２分割部１５の各心線用案内溝１７は、第１分割部３の各心線用案内溝４よりも深く形成されているので、第２分割部３の各心線用案内溝１７から各心線２６が脱落することはなく、各心線２６を第２分割部３の各心線用案内溝１７内に保持することができる。
【００４４】
次に、図３に示すように、第２分割部１５の下方に第１分割部３を配置し、第２分割部１５の凹部１６内に第１分割部３の上面側を嵌合させ、第２分割部１５と第１分割部３とを合体させ、ロック機構２０の嵌合部２１と被嵌合部２２とを相互に嵌合させて、両分割部３、１５を合体した状態にロックする。
【００４５】
これにより、第２分割部１５の各心線用案内溝１７と第１分割部３の各心線用案内溝４とが合体して円形断面となり、この円形断面の各心線用案内溝１７と各心線用案内溝４との間で各心線２６が固定される。また、各心線用案内溝１７と各心線用案内４とが合体することにより、各心線用案内溝４内に先端部が突出している端子７の先端部が各心線２６の被覆を貫通して導線に電気的に接触する。さらに、第２分割部１５のケーブル用案内溝１８と第１分割部３のケーブル用案内溝５とが合体して矩形断面となり、この矩形断面のケーブル用案内溝１８とケーブル用案内溝５との間でケーブル２５の端部の被覆部分２７が固定される。
【００４６】
次に、第１分割部３のケーブル押え用孔９内にケーブル押え１０を取り付け、ケーブル押え１０の上端をケーブル２５の被覆部分２７に当接される。さらに、コネクタ本体２の図１中左端面から突出している各心線２６の余剰部分を切り落とす。
【００４７】
このようにして、ケーブル２５の端部にコネクタ本体２を取り付けることにより、コネクタ本体２に相手方コネクタのコネクタ本体３０を取り付けることが可能となり、コネクタ本体２の表面に露出している各端子７を相手方コネクタ本体３０の各端子に電気的に接続させることが可能となる。
【００４８】
一方、ケーブル２５の端部からコネクタ本体２を取り外す場合には、まず、コネクタ本体２の第２分割部１５の両側部を外側に押し広げることにより、第１分割部３の嵌合部２１と第２分割部１５の被嵌合部２２との嵌合状態を解除し、第１分割部３と第２分割部１５とを上下方向に２つに分割し、両分割部３、１５間にケーブル２５の端部の被覆部分２７及び各心線２６を露出させる。このようにして、ケーブル２５の端部からコネクタ本体２を取り外すことができる。
【００４９】
上記のように構成した本実施の形態によるコネクタ１にあっては、コネクタ本体２を上下方向に第１分割部３と第２分割部１５の２つに分割可能に構成するとともに、ロック機構２０により両分割部３、１５を合体した状態にロック可能、かつロック状態を解除することによって分割可能に構成したので、ケーブル２５の端部にコネクタ本体２を取り付けたり、取り外したりすることが可能となる。従って、コネクタ１を再利用することが可能となるので、経済的に有利なものを提供することができる。
【００５０】
また、ケーブル２５の端部にコネクタ本体２を取り付ける場合、コネクタ本体２を第１分割部３と第２分割部１５とに分割し、ケーブル２５の端部の被覆部分２７を第２分割部１５の案内溝１８内に嵌合させ、各心線２６を第２分割部１５の各心線用案内溝１７内に嵌合させ、この状態で第２分割部１５の凹部１６内に第１分割部３の上面側を嵌合させて両分割部３、１５を合体させ、ロック機構２０により合体した状態にロックすればよいので、ケーブル２５の端部への取り付けに専用の圧着工具を使用する必要はなく、ケーブル２５の端部への取り付けを容易に行うことができる。
【００５１】
さらに、端子７を固定ピン８によって第１分割部３に固定しているので、固定ピン８を第１分割部３から抜き取ることにより、端子７を第１分割部３から取り外すことが可能となり、コネクタ１を廃棄処分する際に、導電体からなる端子７と絶縁体からなるコネクタ本体２とを分別処分することができる。
【００５２】
さらに、ケーブル２５の端部の各心線２６は、第２分割部１５の各心線用案内溝１７内に嵌合させ、第２分割部１５と第１分割部３とを合体させた後に、コネクタ本体２の図１中左端面から突出している余剰部分を切断すればよいので、各心線２６の長さの調整が容易となる。
【００５３】
図４には、本発明によるコネクタの第２の実施の形態が示されている。
このコネクタ１は、コネクタ本体２の第１分割部３を図４中左右に左側部分３ｂと右側部分３ｃの２つに分割し、左側部分３ｂと右側部分３ｃとをヒンジ２８を介して連結し、右側部分３ｃに対して左側部分３ｂを図３中上下方向（矢印方向）に回動可能に構成したものであって、その他の構成は前記第１の実施の形態に示すものと同様である。
【００５４】
そして、本実施の形態においても、前記第１の実施の形態に示すものと同様に、コネクタ本体２を上下方向に第１分割部３と第２分割部１５の２つに分割可能に構成するとともに、ロック機構２０により両分割部３、１５を合体した状態にロック可能、かつロック状態を解除することによって分割可能に構成したので、ケーブル２５の端部にコネクタ本体２を取り付けたり、取り外したりすることが可能となる。従って、コネクタ１を再利用することが可能となるので、経済的に有利なものを提供することができる。
【００５５】
また、ケーブル２５の端部にコネクタ本体２を取り付ける場合、コネクタ本体２を第１分割部３と第２分割部１５とに分割し、ケーブル２５の端部の被覆部分２７を第２分割部１５のケーブル用案内溝１８内に嵌合させ、各心線２６を第２分割部１５の各心線用案内溝１７内に嵌合させ、この状態で第２分割部１５の凹部１６内に第１分割部３の上面側を嵌合させて両分割部３、１５を合体させ、ロック機構２０により合体した状態にロックすればよいので、ケーブル２５の端部への取り付けに専用の圧着工具を使用する必要はなく、ケーブル２５の端部への取り付けを容易に行うことができる。
【００５６】
さらに、第１分割部３を左側部分３ｂと右側部分３ｃの２つに分割して、左側部分３ｂと右側部分３ｃとをヒンジ２８を介して連結したので、第２分割部１５と第１分割部３とを合体させる場合に、第２分割部１５と第１分割部３の右側部分３ｃとを最初に合体させ、その後に第１分割部３の左側部分３ｂを上方に回動させて、第２分割部１５と第１分割部３の左側部分３ｂとを合体させることにより、第１分割部３側の各端子７の先端部を第２分割部１５側に保持されている各心線２６の被覆に容易に突き刺すことができる。
【００５７】
さらに、端子７を固定ピン８によって第１分割部３に固定しているので、固定ピン８を第１分割部３から抜き取ることにより、端子７を第１分割部３から取り外すことが可能となり、コネクタ１を廃棄処分する際に、導電体からなる端子７と絶縁体からなるコネクタ本体２とを分別処分することができる。
【００５８】
さらに、ケーブル２５の端部の各心線２６は、第２分割部１５の各心線用案内溝１７内に嵌合させ、第２分割部１５と第１分割部３とを合体させた後に、コネクタ本体２の図４中左端面から突出している余剰部分を切断すればよいので、各心線２６の長さの調整が容易となる。
【００５９】
なお、前記各実施の形態においては、コネクタ本体２の全体を上下に２つに分割したが、コネクタ本体２の相手方コネクタとの接続部のみを上下方向に２つに分割するように構成してもよい。つまり、コネクタ本体２の心線用案内溝４、１７が設けられる部分のみを上下に２つに分割し、コネクタ本体２のケーブル用案内溝５、１８が設けられる部分は上下に２つに分割せずに一体に形成し、その中央部にケーブル用案内溝５、１８を貫通させるように構成してもよい。
【図面の簡単な説明】
【００６０】
【図１】本発明によるコネクタの第１の実施の形態を示した縦断面図である。
【図２】図１のＡ−Ａ線に沿って見た断面図であって、コネクタ本体を分割した状態を示した説明図である。
【図３】図１のＡ−Ａ線に沿って見た断面図であって、コネクタ本体を合体させた状態を示した説明図である。
【図４】本発明によるコネクタの第２の実施の形態を示した縦断面図である。
【符号の説明】
【００６１】
１  コネクタ
２  コネクタ本体
３  第１分割部
３ａ  ピン挿通用孔
３ｂ  左側部分
３ｃ  右側部分
４  心線用案内溝
５  ケーブル用案内溝
６  端子用溝
７  端子
７ａ  ピン挿通用孔
８  固定ピン
９  ケーブル押え用孔
９ａ  凹凸部
１０  ケーブル押え
１１  脚部
１１ａ  凹凸部
１２  段部
１３  係止部
１５  第２分割部
１６  凹部
１７  心線用案内溝
１８  ケーブル用案内溝
２０  ロック機構
２１  嵌合部
２２  被嵌合部
２５  ケーブル
２６  心線（被覆含む）
２７  被覆部分
２８  ヒンジ
３０  コネクタ本体
【図１】
0005127498.tif 000002
【図２】
0005127498.tif 000003
【図３】
0005127498.tif 000004
【図４】
0005127498.tif 000005